(57)【要約】【課題】本発明は、移動手摺の走行停止時に、移動手摺の表面に圧痕を残さず、移動手摺を静止させることができるエスカレータの手摺保持装置を得ることを目的とするものである。【解決手段】各手摺保持装置７は、ブラケット８、挟み板９及び保持駆動部１０を有している。ブラケット８は、ボルトによりトラス内に固定されている。また、ブラケット８は、第１の平板部８ａと、第１の平板部８ａの下方で第１の平板部８ａに対向する第２の平板部８ｂとを有している。保持駆動部１０は、軸１１、押し板１２、押しばね１３、プランジャ１４、ストッパ１５、及び複数のコイル１６を有している。保持駆動部１０は、押しばね１３によって、挟み板９をブラケット８側へ付勢し、第２の平板部８ｂと挟み板９との間に移動手摺３の耳部３ａを挟持させることによって、移動手摺３を保持する。【選択図】図２
2007161442.tif 000002
【特許請求の範囲】
【請求項１】
トラスに設けられたブラケット、
移動手摺の内側に設けられている挟み板、及び
上記移動手摺の走行停止時に、上記挟み板を上記ブラケット側へ変位させ、上記挟み板と上記ブラケットとの間に上記移動手摺の耳部を挟持させることによって、上記移動手摺を保持する保持駆動部
を備えていることを特徴とするエスカレータの手摺保持装置。
【請求項２】
上記保持駆動部は、上記挟み板を上記ブラケット側へ付勢するばねを有していることを特徴とする請求項１記載のエスカレータの手摺保持装置。
【請求項３】
上記保持駆動部は、入力された電気信号に応じて上記挟み板を上記ばねに抗して上記ブラケットから開離する方向へ変位させる電磁アクチュエータを有していることを特徴とする請求項２記載のエスカレータの手摺保持装置。
【発明の詳細な説明】
【技術分野】
【０００１】
この発明は、移動手摺を有するエスカレータに取り付けられるエスカレータの手摺保持装置に関するものである。
【背景技術】
【０００２】
従来のエスカレータの手摺駆動装置では、移動手摺の表面に圧痕を発生させないように、挟持力調整手段によって移動手摺に対する挟持力を調整した上で、駆動機によって発生した駆動力を移動手摺に伝達し、移動手摺を走行させている（例えば、特許文献１参照）。
【０００３】
【特許文献１】特開２００４−２１７４０１号公報
【発明の開示】
【発明が解決しようとする課題】
【０００４】
上記のような従来のエスカレータでは、移動手摺に対する挟持力が弱く調整されているため、運転停止時に、移動手摺に外部からの力が加わると、移動手摺の位置がずれることがあった。
【０００５】
この発明は、上記のような課題を解決するためになされたものであり、移動手摺の走行停止時に、移動手摺の表面に圧痕を残さず、かつ外力による移動手摺の位置ずれの発生を防ぐことができるエスカレータの手摺保持装置を得ることを目的とする。
【課題を解決するための手段】
【０００６】
この発明に係るエスカレータの手摺保持装置は、トラスに設けられたブラケット、移動手摺の内側に設けられている挟み板、及び移動手摺の走行停止時に、挟み板をブラケット側へ変位させ、挟み板とブラケットとの間に移動手摺の耳部を挟持させることによって、移動手摺を保持する保持駆動部を備えている。
【発明の効果】
【０００７】
この発明のエスカレータの手摺保持装置は、移動手摺の走行停止時に、保持駆動部によって挟み板と挟持面部との間に、移動手摺を挟持させるので、移動手摺の表面に圧痕を残さず、かつ外力による移動手摺の位置ずれの発生を防ぐことができる。
【発明を実施するための最良の形態】
【０００８】
以下、この発明を実施するための最良の形態について、図面を参照して説明する。
実施の形態１．
図１は、この発明の実施の形態１によるエスカレータを示す側面図である。
図において、トラス１上には、一対の欄干が立設されている。各欄干には、手摺レール２が設けられている。手摺レール２には、移動手摺３が走行可能に装架されている。移動手摺３の走行は、手摺レール２によって案内される。
【０００９】
トラス１内の上端部には、スプロケットを有する駆動機４と、駆動スプロケット５とが設けられている。駆動機４のスプロケットと駆動スプロケット５とには、駆動チェーン６が巻き掛けられている。駆動機４の駆動力は、駆動チェーン６を介して、駆動スプロケット５に伝達される。踏段（図示せず）及び移動手摺３は、駆動スプロケット５が回転されることによって、互いに同期して走行される。トラス１の斜面の中間部には、帰路側の移動手摺３を保持する複数（例えば２台）の手摺保持装置７が設けられている。
【００１０】
図２は、図１の手摺保持装置７を拡大して示す側面図である。図３は、図２の手摺保持装置７を示す正面図である。図２，３において、移動手摺３の幅方向の両端部には、断面形状が略Ｕ字状に湾曲した耳部３ａが設けられている。各手摺保持装置７は、ブラケット８、挟み板９及び保持駆動部１０を有している。ブラケット８は、ボルトによりトラス１内に固定されている。また、ブラケット８は、第１の平板部８ａと、第１の平板部８ａの下方で第１の平板部８ａに対向する第２の平板部（押さえ板部）８ｂとを有している。第１の平板部８ａ及び第２の平板部８ｂには、挿通孔８ｃがそれぞれ設けられている。挟み板９は、ブラケット８の下方の移動手摺３の内側に設けられている。
【００１１】
保持駆動部１０は、軸１１、押し板１２、押しばね１３、プランジャ１４、ストッパ１５、及び複数のコイル１６を有している。軸１１は、第１の平板部８ａと第２の平板部８ｂとの挿通孔８ｃを通してブラケット８を貫通している。軸１１の下端部には、挟み板９が取り付けられている。軸１１の上端部には、押し板１２が取り付けられている。
【００１２】
押しばね１３は、軸１１に挿通されて、押し板１２と第１の平板部８ａとの間に設けられている。また、押しばね１３は、押し板１２を反挟み板９側へ付勢することによって、挟み板９をブラケット８側へ付勢する。プランジャ（鉄心）１４は、第１の平板部８ａと第２の平板部８ｂとの間で軸１１の中間部に固着されている。ストッパ１５は、軸１１のプランジャ１４と第１の平板部８ａとの間の位置に取り付けられている。また、ストッパ１５は、押しばね１３の軸１１の上方への変位を規制している。
【００１３】
保持駆動部１０は、押しばね１３によって、挟み板９をブラケット８側へ付勢し、第２の平板部８ｂと挟み板９との間に移動手摺３の耳部３ａを挟持させることによって、移動手摺３を保持する。また、ストッパ１５により軸１１の上方への変位を規制することによって、移動手摺３に対する挟持力を規制している。
【００１４】
複数のコイル１６は、第１の平板部８ａと第２の平板部８ｂとの間に取り付けられている。また、各コイル１６は、踏段及び移動手摺３の走行を制御するエスカレータ制御盤（図示せず）に接続されている。さらに、コイル１６は、エスカレータ制御盤から電気信号（励磁電流）を受ける。さらにまた、コイル１６は、電気信号に応じて磁界を発生させる。コイル１６から発生した磁界によって、プランジャ１４に磁力が働き、プランジャ１４及び軸１１が挟み板９側へ変位される。
【００１５】
即ち、複数のコイル１６とプランジャ１４とによって、押しばね１３に抗してブラケット８から開離する方向へ挟み板９を変位させる電磁アクチュエータが形成されている。保持駆動部１０は、プランジャ１４及び軸１１を挟み板９側へ変位させることによって、図４に示すように、挟み板９と第２の平板部８ｂとによる移動手摺３の挟持（保持）を解除する。
【００１６】
次に、動作について説明する。移動手摺３の走行開始時に、エスカレータ制御盤から給電されたことによって、コイル１６が励磁される。そして、コイル１６が励磁されることによって、押しばね１２に抗する磁力が発生し、プランジャ１４及び軸１１は、下方（挟み板９側）へ変位され、挟み板９がプランジャ１４に連動して変位される。そして、第２の平板部８ｂと挟み板９とによる移動手摺３の耳部３ａの挟持が解除され、移動手摺３が走行可能となる。
【００１７】
一方、移動手摺３の走行停止時には、エスカレータ制御盤からの各コイル１６への給電が絶たれる。これにより、押しばね１２に抗する磁力が消滅し、押しばね１３のばね力によって、ストッパ１５が８ａに当接するまで軸１１が上方（反挟み板９側）へ変位される。これに連動して、挟み板９がブラケット８側へ変位され、第２の平板部８ｂと挟み板９とによって、移動手摺３の耳部３ａが挟持されて、移動手摺３が保持される。
【００１８】
上記のようなエスカレータの手摺保持装置では、移動手摺３の走行停止時に、ブラケット８の第２の平板部８ｂと挟み板９とによって移動手摺３の耳部３ａを挟持させたので、移動手摺３の表面に圧痕を残すことなく、かつ外力による移動手摺３の位置ずれの発生を防ぐことができる。
【００１９】
また、移動手摺３を保持するので、移動手摺３の走行停止時の手摺駆動装置による挟持力（挟圧力）を軽減又は除去させることができる。
【００２０】
なお、実施の形態１では、押しばね１３によって移動手摺３を保持し、電磁アクチュエータによって移動手摺３に対する保持を解除していたが、電磁アクチュエータによって移動手摺を保持し、ばねによって移動手摺に対する保持を解除してもよい。即ち、エスカレータの運転停止時に電磁アクチュエータによって、移動手摺を保持させてもよい。
【００２１】
また、実施の形態１では、複数台の手摺保持装置７がトラス１に設けられていたが、手摺保持装置の台数は特に限定されるものではなく、１台又は３台以上であってもよい。
【００２２】
さらに、実施の形態１では、手摺保持装置７がトラス１の斜面の中間部に配置されていたが、トラスの斜面の中間部に限るものではなく、手摺保持装置の配置場所は適宜決定してもよい。
【図面の簡単な説明】
【００２３】
【図１】この発明の実施の形態１によるエスカレータを示す側面図である。
【図２】図１の手摺保持装置を拡大して示す側面図である。
【図３】図２の手摺保持装置を示す正面図である。
【図４】図３の手摺保持装置により移動手摺を保持した状態を示す正面図である。
【符号の説明】
【００２４】
１  トラス、３  移動手摺、３ａ  耳部、７  手摺保持装置、８  ブラケット、９  挟み板、１０  保持駆動部、１３  押しばね。
【図１】
2007161442.tif 000003
【図２】
2007161442.tif 000004
【図３】
2007161442.tif 000005
【図４】
2007161442.tif 000006